(57)【要約】      （修正有）【課題】着用者の息苦しさを緩和することができる鼻孔拡張マスクを提供する。【解決手段】鼻孔拡張マスク１０は、着用者の顔面と対向する対向面３０を有するマスク本体と、対向面３０の上縁近傍に固定され、横方向に延びる弾性変形可能な鼻孔拡張テープ１４と、対向面の中線Ｌ１を横断して配置され、弾性変形可能なワイヤー１５と、を備えている。鼻孔拡張テープ１４は、着用者の鼻柱の両側に粘着する粘着面を有し、その余の部位よりも幅広形状を呈した幅広部が両端部に形成されている。鼻孔拡張テープが非湾曲形状に復帰しようとすることで、着用者の鼻孔が拡張される。また、ワイヤー１５がマスク本体の形状を一定の弾性によって維持するため、鼻や口の周辺に空間が形成され、息苦しさを緩和することができる。【選択図】図１
0003185879.tif 000002
【実用新案登録請求の範囲】
【請求項１】
着用者の顔面と対向する対向面を有するマスク本体と、
上記対向面の上縁近傍に固定され、横方向に延びる弾性変形可能な鼻孔拡張テープと、
上記対向面の中央部を横断して配置され、弾性変形可能なワイヤーと、を備え、
上記鼻孔拡張テープは、着用者の鼻柱の両側に粘着する粘着面を有し、両端部がその余の部位よりも幅広形状を呈している鼻孔拡張マスク。
【請求項２】
上記横方向における上記鼻孔拡張テープの両端縁の中央部は、上記横方向の内側に凹んだ形状である請求項１に記載の鼻孔拡張マスク。
【請求項３】
上記鼻孔拡張テープは、
上記マスク本体の対向面に固定され、表面に粘着剤が塗布された可撓性を有する粘着シートと、
当該粘着シートに設けられ、弾性を有する薄肉平板と、を有する請求項１又は２に記載の鼻孔拡張マスク。
【請求項４】
上記ワイヤーは、樹脂からなる請求項１から３のいずれかに記載の鼻孔拡張マスク。
【考案の詳細な説明】
【技術分野】
【０００１】
この考案は、鼻孔を拡張して着用者の息苦しさを緩和する鼻孔拡張マスクに関するものである。
【背景技術】
【０００２】
風邪や花粉症の患者が着用する健康マスクが従来から提供されている。また、着用者の鼻孔を拡張して着用者の息苦しさを緩和する機能を有した健康マスク（以下、「鼻孔拡張マスク」と称される。）も提案されている。
【０００３】
一般的な鼻孔拡張マスクは、マスク本体を備え、これに弾性部材が設けられている。この弾性部材は、横長のテープ状に形成され、マスク本体の裏面に設けられている。鼻孔拡張マスクが着用されると、上記弾性部材が着用者の鼻柱を跨ぐように配置される。この弾性部材は、着用者の鼻に粘着する粘着面を有しており、着用者の鼻の形状に沿って弾性的に湾曲され、着用者の鼻に粘着する。このため、着用者の鼻孔は、弾性部材の弾性力により拡張される。鼻孔が拡張されて空気の通りが良くなることで、鼻づまりによる息苦しさや不快感が緩和される。このような鼻孔拡張マスクは、例えば特許文献１〜特許文献３に記載されている。
【先行技術文献】
【特許文献】
【０００４】
【特許文献１】特開平１１−０３３１３２号公報
【特許文献２】実登３１２６４６９号公報
【特許文献３】実登３０４０９０６号公報
【考案の概要】
【考案が解決しようとする課題】
【０００５】
しかし、従来の鼻孔拡張マスクでは、着用者の息苦しさを十分に緩和できないことがあった。なぜなら、弾性部材が鼻孔を拡張する力が十分に大きくなるように設計されると、弾性部材が鼻に粘着する粘着力も大きく設計される必要があるが、当該粘着力の強さには限界があり、その結果、弾性部材が鼻から剥がれない程度に当該弾性部材の弾性力が抑えられなければならないからである。また、仮に鼻孔が十分に拡張されたとしても、マスク本体の生地が着用者の鼻孔を塞いでしまうような場合には、着用者は、息苦しさを感じる。
【０００６】
本考案はかかる背景のもとになされたものであって、従来のものよりも着用者の息苦しさを緩和することができる鼻孔拡張マスクを提供することにある。
【課題を解決するための手段】
【０００７】
(1)  本考案に係る鼻孔拡張マスクは、着用者の顔面と対向する対向面を有するマスク本体と、上記対向面の上縁近傍に固定され、横方向に延びる弾性変形可能な鼻孔拡張テープと、上記対向面の中央部を横断して配置され、弾性変形可能なワイヤーと、を備える。上記鼻孔拡張テープは、着用者の鼻柱の両側に粘着する粘着面を有し、両端部がその余の部位よりも幅広形状を呈している。
【０００８】
ここで、本考案における横方向とは、着用者にとっての左右方向である。また、ワイヤーとは、少なくともマスク本体よりも高い弾性を有した棒状又は線状の部材である。
【０００９】
本構成によると、着用時には、対向面の上縁近傍に設けられた鼻孔拡張テープが着用者の鼻柱を横方向に跨ぐように位置する。その状態で、鼻孔拡張テープは、着用者の鼻の形状に沿って折り曲げられて、粘着面が着用者の鼻柱に粘着される。鼻孔拡張テープが元の形状に弾性的に復帰しようとすることで、着用者の鼻孔が拡張される。
【００１０】
横方向における鼻孔拡張テープの両端部が幅広形状を有しているため、両端部において鼻と鼻孔拡張テープとの粘着面積が広く確保される。鼻孔拡張テープの両端部ほど、鼻孔を拡張する力が大きく作用するが、上記の力が作用する面積が広いことから、鼻孔拡張テープの粘着面が鼻から剥がれにくくなると共に、効率的に鼻孔を拡張することができる。
【００１１】
また、ワイヤーは対向面の中央部を横断して配置されているため、両端が両頬にそれぞれ位置する。ワイヤーによってマスク本体の形状が維持されるため、着用者の鼻や口の周辺に空間が形成される。これにより、マスク本体が着用者の鼻孔を塞いでしまうことがなく、着用者の息苦しさをさらに緩和することができる。
【００１２】
(2)  上記横方向における上記鼻孔拡張テープの両端縁の中央部は、上記横方向の内側に凹んだ形状であってもよい。
【００１３】
上記のような形状によって、凹みの両外側を独立して湾曲させることができる。したがって、鼻の凹凸形状に合わせて、粘着面を鼻にフィットさせることができる。
【００１４】
(3)  上記鼻孔拡張テープは、上記マスク本体の対向面に固定され、表面に粘着剤が塗布された可撓性を有する粘着シートと、当該粘着シートに設けられ、弾性を有する薄肉平板と、を有していてもよい。
【００１５】
本構成では、粘着シートが着用者の鼻に接触するため、各特許文献に記載されたような、弾性部材に直接粘着剤が塗布されたものと比較して、鼻への装着感が良好である。
【００１６】
(4)  上記ワイヤーは、樹脂からなるものであってもよい。
【００１７】
ワイヤーが樹脂からなることにより、着用者の肌を傷つけることがない。
【考案の効果】
【００１８】
本考案に係る鼻孔拡張マスクは、従来のものよりも着用者の息苦しさを緩和することができる。
【図面の簡単な説明】
【００１９】
【図１】図１（Ａ）は、本発明の実施形態に係る鼻孔拡張マスク１０の正面図である。図１（Ｂ）は、鼻孔拡張マスク１０の背面図である。
【図２】図２（Ａ）は、図１（Ｂ）における鼻孔拡張テープ１４の拡大図である。図２（Ｂ）は、図２（Ａ）の状態から、保護フィルム２６が剥がされて、粘着面２７が露出した状態を示している。
【図３】図３は、鼻孔拡張マスク１０が着用された状態を示す図である。
【考案を実施するための形態】
【００２０】
以下、本考案の好ましい実施形態が、適宜図面が参照されながら説明される。
【００２１】
［鼻孔拡張マスク１０の概略］
【００２２】
図１に示される鼻孔拡張マスク１０は、マスク本体１１、耳掛けループ１２，１３、鼻孔拡張テープ１４（図１（Ｂ））、及びワイヤー１５（図１（Ｂ））などから構成されている。鼻孔拡張マスク１０は、鼻孔拡張テープ１４が着用者の鼻孔を拡張し、同時にワイヤー１５が着用者の鼻や口の周辺に空間を形成することで、鼻づまりによる息苦しさを緩和するものである。鼻孔拡張マスク１０のより詳細な構成が、以下に説明される。なお、以下の説明において、縦又は横を示す表現が用いられた場合、それは着用者の視点を前提としたものである。すなわち、図１における中央線Ｌ１に沿った方向が縦方向、中央線Ｌ１と直交する方向が横方向である。
【００２３】
［マスク本体１１］
【００２４】
図１に示されるマスク本体１１は、平面視において横長の正方形状に形成されている。マスク本体１１には、一般的な健康マスクとして用いられる公知な材料が使用される。一例として、綿素材のガーゼに任意の方法で抗菌・消臭等の加工が施されたものが使用される。このよう抗菌・消臭加工の一例として、ナノ化された銀イオンをガーゼに吸着させる方法が挙げられる。
【００２５】
マスク本体１１に横方向に沿った複数の折りひだ１６が形成されている。折りひだ１６は、マスク本体１１に合計４段形成されている。折りひだ１６は、鼻孔拡張マスク１０の着用時に部分的に縦方向に展開される。これによって、マスク本体１１が立体形状となり、着用者の顔面とマスク本体１１との間に空間が形成されやすくなる。
【００２６】
マスク本体１１は、複数枚の生地が重ねられて構成されている。生地の間にワイヤー１５が挟まれてマスク本体１１と一体とされている。ワイヤー１５の詳細は後述される。
【００２７】
［耳掛けループ１２，１３］
【００２８】
図１に示される耳掛けループ１２，１３は、両端がマスク本体１１にループ状に取り付けられた紐状である。耳掛けループ１２は、着用者の顔面と対向するマスク本体１１の対向面３０（図１（Ｂ））のうち、左端よりも僅かに内側の位置に取り付けられている。同様に、耳掛けループ１３は、右端よりも僅かに内側の位置に取り付けられている。着用時には、耳掛けループ１２が着用者の左耳に掛けられ、耳掛けループ１３が着用者の右耳に掛けられる。耳掛けループ１２，１３は、着用者の顔のサイズに合わせて伸縮自在とされている。
【００２９】
［鼻孔拡張テープ１４］
【００３０】
図１（Ｂ）に示される鼻孔拡張テープ１４は、マスク本体１１の対向面３０のうち、横方向の中央、且つ縦方向の上端付近に付設されている。鼻孔拡張テープ１４は、横長形状を呈している。
【００３１】
図２に示されるように、鼻孔拡張テープ１４の両端に、幅広部２１が設けられている。幅広部２１は、縦方向の寸法が横方向中央と比較して幅広である。着用時には、鼻孔拡張テープ１４の中央が着用者の鼻柱に位置し、幅広部２１が着用者の鼻翼周辺に位置する。
【００３２】
鼻孔拡張テープ１４の端縁のうち、縦方向の中央部が内側に凹むことで、凹部２２が形成されている。これにより、凹部２２を跨いだ縦方向両側の突出部２３をそれぞれ独立して折り曲げることが可能とされている。
【００３３】
鼻孔拡張テープ１４は、積層構造となっている。マスク本体１１側から順に、粘着シート２４（図２（Ｂ））、樹脂プレート２５（図２（Ｂ））、保護フィルム２６（図２（Ａ））が積層されている。
【００３４】
図２（Ａ）においては、鼻孔拡張テープ１４の構成部材のうち、表側に露出された保護フィルム２６のみが視認可能である。保護フィルム２６は、粘着シート２４の粘着面２７（図２（Ｂ））に粘着されている。保護フィルム２６は、粘着面２７をゴミや埃などから保護し、粘着力を維持するものである。保護フィルム２６は、着用時に粘着シート２４の粘着面２７から剥がされる（図２（Ｂ）の状態）。縦方向に沿って保護フィルム２６に切り込み２８が形成されている。切り込み２８により、保護フィルム２６は２つに分断されている。
【００３５】
図２（Ｂ）は、保護フィルム２６が剥がされて、粘着シート２４の粘着面２７が露出された状態を示している。粘着シート２４は、可撓性を有するシートであって、一例として、ポリプロピレンなどによって製造される。粘着シート２４に粘着剤が塗布されて粘着面２７が構成されている。
【００３６】
粘着面２７の一部に横方向に延びる樹脂プレート２５が付設されている。樹脂プレート２５は、弾性を有する細長の板状であり、粘着面２７の概ね中央に位置している。樹脂プレート２５が非湾曲形状に復帰しようとする力によって、着用者の鼻孔が拡張される。着用者の鼻孔を拡張する適度な力が得られるように、樹脂プレート２５の厚みや樹脂の種類が適宜決定される。なお、図２（Ａ）の状態では、樹脂プレート２５は、粘着面２７と保護フィルム２６との間に挟み込まれている。
【００３７】
粘着シート２４及び樹脂プレート２５は、複数の接着ポイント２９（図２（Ｂ））において、マスク本体１１に接着されている。マスク本体１１に粘着シート２４及び樹脂プレート２５を接着するために、接着材が用いられる。
【００３８】
［ワイヤー１５］
【００３９】
図１（Ｂ）に示されるワイヤー１５は、マスク本体１１に付設された棒状の樹脂である。ワイヤー１５は、縦方向におけるマスク本体１１の中央であって、マスク本体１１を横方向に横断するように配置されている。ワイヤー１５は、マスク本体１１を構成する複数枚の生地の間に挟まれて、マスク本体１１と一体化されている。ワイヤー１５は、円柱状であってもよいし、樹脂製の薄板が、線状に裁断されたものであってもよい。
【００４０】
［鼻孔拡張マスク１０の着用］
【００４１】
鼻孔拡張マスク１０の着用の様子が図３に示される。着用者は、保護フィルム２６を粘着面２７から剥がして鼻孔拡張マスク１０を着用する。その際、着用者は、鼻孔拡張テープ１４を鼻の凹凸に沿って湾曲させ、粘着面２７を鼻に粘着させる。樹脂プレート２５が非湾曲形状に復帰しようとする力によって、鼻腔が拡張される。
【００４２】
また、ワイヤー１５は、着用者の鼻や口の周辺に位置する。ワイヤー１５が、マスク本体１１の形状を一定の弾性によって維持することにより、着用者の顔面とマスク本体１１との間に空間が形成される。
【００４３】
［実施形態の作用効果］
【００４４】
本実施形態によると、鼻孔拡張マスク１０の着用後、鼻孔拡張テープ１４が非湾曲形状に復帰しようとすることで、着用者の鼻孔が拡張される。これにより、着用者の息苦しさを緩和することができる。
【００４５】
また、ワイヤー１５がマスク本体１１の形状を一定の弾性によって維持するため、着用者の鼻や口の周辺に空間が形成される。これにより、マスク本体１１が着用者の鼻孔を塞いでしまうことがなく、着用者の息苦しさをさらに緩和することができる。
【００４６】
また、鼻孔拡張テープ１４に凹部２２が形成されることによって、突出部２３を独立して湾曲させることができる。したがって、鼻の凹凸形状に合わせて、粘着面を鼻にフィットさせることができる。
【００４７】
また、粘着シート２４が着用者の鼻に接触するため、弾性部材に直接粘着剤が塗布された従来の鼻腔拡張マスクと比較して、鼻への装着感が良好である。
【００４８】
また、ワイヤー１５が樹脂からなるため、着用者の肌を傷つけることがない。
【００４９】
［変形例］
【００５０】
上述された実施形態では、着用者の鼻孔を拡張するために、樹脂プレート２５が用いられた。しかしながら、樹脂以外の材質によって製造された板状の弾性部材を、樹脂プレート２５の代わりに用いることも可能である。そのような弾性部材は、例えば金属製であってもよい。
【００５１】
同様に、ワイヤー１５も、適度な弾性を有したものであれば必ずしも樹脂に限定されるものではなく、例えば金属製であってもよい。
【００５２】
また、粘着シート２４と樹脂プレート２５とは、上述された実施形態のものと逆の順序で積層されてもよい。つまり、マスク本体１１と粘着シート２４との間に樹脂プレート２５が挟み込まれてもよい。
【００５３】
また、鼻孔拡張テープ１４の詳細な形状は、当業者が適宜変更できるものである。例えば、鼻孔拡張テープ１４を鼻の形状に沿って折り曲げることを更に容易とするため、鼻孔拡張テープ１４の所定の位置に複数の切り込みや切り欠きが形成されてもよい。
【符号の説明】
【００５４】
１０・・・鼻孔拡張マスク
１１・・・マスク本体
１２，１３・・・耳掛けループ
１４・・・鼻孔拡張テープ
１５・・・ワイヤー
２１・・・幅広部
２２・・・凹部
２３・・・突出部
２４・・・粘着シート
２５・・・樹脂プレート
２６・・・保護フィルム
２７・・・粘着面
２８・・・切り込み
２９・・・接着ポイント
３０・・・対向面
Ｌ１・・・中央線
【図１】
0003185879.tif 000003
【図２】
0003185879.tif 000004
【図３】
0003185879.tif 000005